(57)【要約】【課題】  電線の切断と被覆の剥ぎ取りとを、容易かつ迅速に行うことが可能な間接活線先端工具を提供する。【解決手段】  間接活線工具１００のヤットコ１２０に着脱自在に装着される装着体３と、ヤットコ１２０の回動に連動して開閉し、全閉することで電線２００を切断する電線切断部４と、電線２００の軸方向において電線切断部４から所定距離の位置に配設され、ヤットコ１２０の回動に連動して開閉し、全閉することで電線２００の被覆材２０２のみを全周にわたって切断する被覆切断体５と、を備える。【選択図】  図１
2014039433.tif 000002
【特許請求の範囲】
【請求項１】
棒状で先端にヤットコが配設された間接活線工具に、着脱自在に取り付けられ、心線の外周に被覆が形成された電線の前記被覆を剥ぎ取るための、電線被覆剥ぎ取り用間接活線先端工具であって、
前記ヤットコに着脱自在に装着される装着手段と、
前記ヤットコの回動に連動して開閉し、全閉することで前記電線の被覆と心線とを切断する電線切断手段と、
前記電線の軸方向において前記電線切断手段から所定距離の位置に配設され、前記ヤットコの回動に連動して開閉し、全閉することで前記電線の被覆のみを全周にわたって切断する被覆切断手段と、
を備えることを特徴とする電線被覆剥ぎ取り用間接活線先端工具。
【発明の詳細な説明】
【技術分野】
【０００１】
この発明は、間接活線工具（ホットスティック・絶縁棒）の先端に取り付けられる間接活線先端工具に関し、特に、電線の被覆を剥ぎ取るために使用される電線被覆剥ぎ取り用間接活線先端工具に関する。
【背景技術】
【０００２】
近年、安全性をより確保するために、間接活線工具を用いて通電状態のままで作業を行う間接活線工法が、多く採用されており、例えば、高圧引下用絶縁電線の被覆を剥ぎ取る際にも、間接活線工法が採られている。すなわち、まず、間接活線工具の先端に切断用の間接活線先端工具を取り付けて、電線を切断し、次に、間接活線工具の先端に被覆剥ぎ取り用の間接活線先端工具を取り付けて、電線の被覆を剥ぎ取る。この被覆剥ぎ取り用の間接活線先端工具は、中央部に電線を挿入するための貫通穴が設けられ、鉛筆削りのように、この貫通穴に電線を挿入した状態で間接活線先端工具を回転させることで、電線被覆の全周に沿って切込・スリットを形成するものである（例えば、特許文献１参照。）。
【先行技術文献】
【特許文献】
【０００３】
【特許文献１】特許第３３９８２６９号公報
【発明の概要】
【発明が解決しようとする課題】
【０００４】
このように、従来は、電線の切断と被覆の剥ぎ取り（皮むき）とを、別の間接活線先端工具を用いて行っていたため、作業に多大な労力と時間とを要していた。殊に、被覆を剥ぎ取る際には、被覆剥ぎ取り用の間接活線先端工具の貫通穴に電線を挿入して、間接活線先端工具を回転させるという複雑な作業を、間接活線工具を用いて遠隔で行わなければならい。しかも、高圧引下用絶縁電線などは柔らかく癖（曲がり）がつきやすいため、癖を除去して真っ直ぐな状態にしてから、間接活線先端工具の貫通穴に挿入しなければならず、作業には高度な熟練を要し、しかも、多大な労力と時間とを要していた。
【０００５】
そこでこの発明は、電線の切断と被覆の剥ぎ取りとを容易かつ迅速に行うことが可能な、電線被覆剥ぎ取り用間接活線先端工具を提供することを目的とする。
【課題を解決するための手段】
【０００６】
上記課題を解決するために、請求項１の発明は、棒状で先端にヤットコが配設された間接活線工具に、着脱自在に取り付けられ、心線の外周に被覆が形成された電線の前記被覆を剥ぎ取るための、電線被覆剥ぎ取り用間接活線先端工具であって、前記ヤットコに着脱自在に装着される装着手段と、前記ヤットコの回動に連動して開閉し、全閉することで前記電線の被覆と心線とを切断する電線切断手段と、前記電線の軸方向において前記電線切断手段から所定距離の位置に配設され、前記ヤットコの回動に連動して開閉し、全閉することで前記電線の被覆のみを全周にわたって切断する被覆切断手段と、を備えることを特徴とする。
【０００７】
この発明によれば、装着手段を間接活線工具のヤットコに装着し、電線切断手段と被覆切断手段とを開いて電線に沿わせる。そして、ヤットコを閉じる方向に回動させると、電線切断手段と被覆切断手段とが閉じていき、全閉することで、電線切断手段によって電線の被覆と心線とが切断されると同時に、被覆切断手段によって電線の被覆のみが全周にわたって切断される。このとき、電線切断手段と被覆切断手段とが所定距離離れて配設されているため、電線が全切断された位置（電線切断手段）から所定距離の位置（被覆切断手段）において、電線の被覆のみが切断された状態となる。そして、被覆のみが切断された位置から全切断までの部位を、全切断の方向に引き抜くことで、電線の被覆が剥ぎ取られる。
【発明の効果】
【０００８】
請求項１の発明によれば、１つの間接活線先端工具による１つの操作（ヤットコを閉じる操作）のみで、電線の切断と被覆のみの切断とが同時に行えるため、間接活線先端工具を換えたり操作を変えたりする必要がなく、電線の切断と被覆の剥ぎ取りとを容易かつ迅速に行うことができる。しかも、電線に対して電線切断手段と被覆切断手段とを閉じるだけでよいため、従来のように貫通穴に電線を挿入して間接活線先端工具を回転させる、という複雑な操作に比べて、作業性が向上し、熟練を要しなくても、容易かつ迅速に行うことができる。
【０００９】
さらには、電線が全切断される位置から被覆のみが切断される位置までの距離、つまり、被覆が剥ぎ取られる長さが、常に所定距離に保たれるため、作業員によるバラツキなどが生じない。そして、これらの結果、作業の安全性が向上するとともに、施工品質が向上する。
【図面の簡単な説明】
【００１０】
【図１】この発明の実施の形態に係る電線被覆剥ぎ取り用間接活線先端工具を示す正面図である。
【図２】図１の間接活線先端工具の右側面図である。
【図３】図１の間接活線先端工具の左側面図である。
【図４】この発明の実施の形態における間接活線工具を示す正面図である。
【図５】図１の間接活線先端工具の被覆切断体が閉じた状態を示す図である。
【図６】図１の間接活線先端工具による電線の被覆剥ぎ取り手順を示す図であり、（ａ）は、間接活線先端工具を電線にセットした状態を示す図であり、（ｂ）は、間接活線先端工具を作動させた状態を示す図であり、（ｃ）は、間接活線先端工具を電線から外した状態を示す図であり、（ｄ）は、被覆材を取り除いた状態を示す図である。
【図７】図１の間接活線先端工具において、電線切断部と被覆切断体との距離を調整自在な場合を示す図である。
【発明を実施するための形態】
【００１１】
以下、この発明を図示の実施の形態に基づいて説明する。
【００１２】
図１〜３はそれぞれ、この発明の実施の形態に係る電線被覆剥ぎ取り用間接活線先端工具１を示す正面図と、右側面図と、左側面図である。この間接活線先端工具１は、図４に示すような間接活線工具１００に着脱自在に取り付けられ、電線２００の被覆材（被覆）２０２を剥ぎ取るための工具である。ここで、電線２００は、図６に示すように、心線２０１（銅線）の外周に被覆材２０２が形成・被覆されており、例えば、高圧引下用絶縁電線などが挙げられる。
【００１３】
また、間接活線工具１００とは、通電状態のままで作業を行う間接活線工法で用いられる工具、つまり、電線２００や電気機器などに作業者が直接接することなく作業を行うための工具であり、概略次のような構成となっている。
【００１４】
すなわち、図４に示すように、棒状で先端にヤットコ１２０が配設された工具であり、把持工具本体１１０と、ヤットコ１２０とを有している。把持工具本体１１０は絶縁性の棒体で、上端部には、金属製の支持具１１１が取付けられている。この支持具１１１の上部には、ヤットコ１２０を構成する可動アーム１１２、１１３が支持ピン（図示せず）を介して揺動可能に支持され、この可動アーム１１２、１１３は、操作ロッド１１４の上端部に連結されている。
【００１５】
一方、把持工具本体１１０には、レバー１１５が揺動可能に支持され、このレバー１１５の上端部には、操作ロッド１１４の下端部がピン連結されている。そして、レバー１１５を矢印Ｆ１方向に操作することによって、第１の可動アーム１１２および第２の可動アーム１１３（ヤットコ１２０）が、矢印Ｆ２方向に互いに進退動（回動）するものである。
【００１６】
間接活線先端工具１は、主として、従動体２と、装着体（装着手段）３と、電線切断部（電線切断手段）４と、被覆切断体（被覆切断手段）５とを備えている。
【００１７】
従動体２は、図２に示すように、棒状の２つの従動棒２１、２１が、第１の回転軸２２を軸にしてハサミのように回動するように連結されている。そして、後述するようにして装着・連結されたヤットコ１２０が回動することで、従動棒２１、２１の下端部（一端部）および上端部（他端部）が開閉するようになっている。
【００１８】
装着体３は、間接活線先端工具１をヤットコ１２０に着脱自在に装着するためのものであり、装着筒３１とツマミ３２とを備え、従動体２の両従動棒２１、２１の下端部に回動自在に配設されている。装着筒３１は、少なくとも下面が開放・開口された筒体で、下方からヤットコ１２０の可動アーム１１２、１１３の先端部を挿入できるようになっている。また、この装着筒３１は、第１の回転軸２２と並行な第２の回転軸３３を軸にして、回動自在に従動棒２１に配設されている。ツマミ３２は、装着筒３１の側面に螺合されたネジで、このツマミ３２を締め付けることで、可動アーム１１２、１１３の先端部が装着筒３１に固定され、ツマミ３２を緩めることで、可動アーム１１２、１１３の先端部が装着筒３１から取り外せるようになっている。
【００１９】
電線切断部４は、ヤットコ１２０の回動に連動して開閉し、全閉することで電線２００の被覆材２０２と心線２０１とを切断する切断刃である。すなわち、この実施の形態では、従動体２の従動棒２１、２１の上端部が電線切断部４、４として形成され、上記のようにしてヤットコ１２０が回動して従動棒２１、２１の下端部が開閉することで、この回動・開閉に連動して電線切断部４、４が開閉するようになっている。
【００２０】
また、電線切断部４、４は、ほぼ全開した状態で電線２００を挿入することができ、全閉した状態では電線切断部４、４の刃同士が重なって被覆材２０２と心線２０１とを切断（全切断）できるように、形状、大きさが設定されている。ここで、複数の外径の電線２００を全切断できるように、形状、大きさを設定してもよい。
【００２１】
被覆切断体５は、電線２００の軸方向において電線切断部４から所定距離の位置に配設され、ヤットコ１２０の回動に連動して開閉し、全閉することで電線２００の被覆材２０２のみを全周にわたって切断するものである。すなわち、図３に示すように、２つの略三日月形の被覆切断部５１、５１が、第１の回転軸２２と同心・同軸な第３の回転軸５２を軸にして、回動自在に連結されている。
【００２２】
被覆切断部５１、５１の内縁には、それぞれ円弧状の切込刃５１ａ、５１ａが形成され、ほぼ全開した状態で電線２００を挿入することができ、全閉した状態では２つの被覆切断部５１、５１の切込刃５１ａ、５１ａによって、心線２０１の外径と同径の円が形成されるようになっている。つまり、図５に示すように、全閉した状態では、切込刃５１ａ、５１ａによって被覆材２０２のみが切断され（全周に延びる切込・切れ目が形成され）、心線２０１は切断されないように、切込刃５１ａ、５１ａが形成されている。
【００２３】
このような被覆切断体５が２つの丸棒状の連結棒６を介して、電線切断部４に接続・連結されている。すなわち、一方の連結棒６の一端部が、一方の電線切断部４に接続され、この連結棒６の他端部が、対向する被覆切断部５１に接続され、同様に、他方の連結棒６の一端部が、他方の電線切断部４に接続され、この連結棒６の他端部が、対向する被覆切断部５１に接続されている。
【００２４】
そして、上記のようにして電線切断部４、４が開閉すると、その開閉力が連結棒６、６を介して被覆切断部５１、５１に伝達され、被覆切断部５１、５１が開閉する。このようにして、ヤットコ１２０の回動に連動して開閉するものである。
【００２５】
また、被覆切断体５は、電線２００の軸方向において電線切断部４から所定距離の位置に配設されている。つまり、連結棒６、６の長さが所定の長さに設定されている。ここで、所定距離（連結棒６、６の長さ）は、電線２００を全切断して被覆材２０２を剥ぎ取った際に、露出する心線２０１が所定長得られるように設定されている。
【００２６】
次に、このような構成の間接活線先端工具１による電線２００の被覆剥ぎ取り（皮むき）手順や作用などについて、図６に基づいて説明する。ここで、説明の便宜上、図６においては、間接活線先端工具１を模式的に図示する。
【００２７】
まず、図６（ａ）に示すように、間接活線先端工具１を電線２００にセットする。すなわち、上記のようにして装着体３を間接活線工具１００のヤットコ１２０に装着し、ヤットコ１２０を回動させて、電線切断部４と被覆切断体５とをほぼ全開にする。この状態で、電線２００の切断したい部位に電線切断部４を位置させて、電線切断部４と被覆切断体５の開口を電線２００に沿わせる（電線切断部４と被覆切断体５の開口に電線２００をあてがう。）。
【００２８】
次に、図６（ｂ）に示すように、間接活線工具１００のヤットコ１２０を回動させて、電線切断部４と被覆切断体５とを閉じていく。そして、電線切断部４と被覆切断体５とを全閉させると、電線切断部４によって電線２００が全切断されるとともに、被覆切断体５によって電線２００の被覆材２０２に全周に延びる切込が形成される。
【００２９】
すなわち、ヤットコ１２０を回動させ、電線切断部４と被覆切断体５とを開いて間接活線先端工具１を電線２００から外すと、図６（ｃ）に示すように、切断位置Ｓ１において電線２００が全切断され、皮むき位置Ｓ２において被覆材２０２に切込が形成される。
【００３０】
次に、図６（ｄ）に示すように、被覆材２０２を取り除く。すなわち、切断位置Ｓ１と皮むき位置Ｓ２との間の被覆材２０２を、例えばヤットコ１２０で把持して、切断位置Ｓ１方向（図中矢印方向）に引く出すことで、被覆材２０２を取り除く。あるいは、電線２００の全切断と被覆材２０２への切込とを終えた状態（図６（ｂ）の状態）で、間接活線先端工具１をそのまま切断位置Ｓ１の外側（図中矢印方向）に移動・スライドさせて、覆材２０２を取り除く。さらには、電線２００の切断によって、停電されているため、手で覆材２０２を抜き取ってもよい。このようにして、電線２００の切断と被覆材２０２の剥ぎ取りとを行うものである。
【００３１】
以上のように、この間接活線先端工具１によれば、１つの間接活線先端工具１による１つの操作のみで、つまり、ヤットコ１２０を回動させて電線切断部４と被覆切断体５とを閉じるという操作のみで、電線２００の全切断と被覆材２０２への切込とを同時に行える。このため、複数の間接活線先端工具を換えたり、操作を変えたりする必要がなく、電線２００の全切断と被覆材２０２の剥ぎ取りとを容易かつ迅速に行うことができる。
【００３２】
しかも、電線切断部４と被覆切断体５の開口を電線２００に沿わせて閉じるだけでよいため、従来のように電線２００を貫通穴に挿入して間接活線先端工具を回転させる場合に比べて、作業性が向上し、熟練を要しなくても、容易かつ迅速に行うことができる。特に、電線２００が柔らかく癖が付きやすい（曲がりやすい）場合であっても、電線２００を貫通穴に挿入する必要がなく、電線２００を電線切断部４と被覆切断体５とで挟むようにすればよいため、作業が極めて容易で、迅速に行うことができる。
【００３３】
また、従来の鉛筆削りのように刃を回転させないため、電線２００が曲がっていても電線切断部４と被覆切断体５の刃が折れることがない。さらには、電線２００の切断位置Ｓ１から皮むき位置Ｓ２までの距離、つまり、被覆材２０２が剥ぎ取られる長さが、常に所定距離に保たれるため、作業員によるバラツキなどが生じない。
【００３４】
そして、これらの結果、作業の安全性が向上するとともに、施工品質が向上する。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、連結棒６の長さを固定、つまり、被覆材２０２を剥ぎ取る長さを固定にしているが、長さを調整できるようにしてもよい。すなわち、図７に示すように、連結棒６の被覆切断体５側の端部にネジ部６ａを形成し、被覆切断体５の各被覆切断部５１、５１に挿入孔（図示せず）を形成する。そして、挿入孔にネジ部６ａを挿入して被覆切断体５の位置を調整し、固定ナット６１、６１を各被覆切断部５１、５１の両端面からネジ部６ａに締め付けることで、被覆切断体５を固定する。
【００３６】
これにより、作業現場などに応じて、皮むきの長さを変更することができる。さらには、被覆切断体５が分離自在なため、切込刃５１ａ、５１ａの内径が異なる被覆切断体５を装着することで、径が異なる電線２００の被覆材２０２を、この間接活線先端工具１で剥ぎ取ることができる。つまり、複数の径の電線２００に対応することができる。
【００３７】
また、上記の実施の形態では、従動体２の上端部が電線切断部４として形成されているが、従動体２の上端部を被覆切断部（被覆切断体５）として形成し、これに対向して電線切断体（電線切断部４）を設けてもよい。つまり、電線切断部４と被覆切断体５との位置を逆にしてもよい。さらに、電線切断部４と被覆切断体５との中央部に従動体２を配置するようにしてもよい。このように、従動棒２１、２１がハサミのように回動する従動体２の下端部に装着体３を配設し、従動体２の上端部に電線切断手段（電線切断部４）と被覆切断手段（被覆切断体５）とを所定距離離して配設し、従動体２の下端部の開閉に伴って、電線切断手段と被覆切断手段とが開閉するようにすればよい。
【００３８】
さらに、上記の実施の形態では、電線切断部４と被覆切断体５とが丸棒状の連結棒６を介して連結されているが、必要な切断力や操作安定性などに応じて、板材やブロック材などで連結してもよい。また、第１の回転軸２２と第３の回転軸５２とを一体の軸で構成することで、電線切断部４および被覆切断体５の開閉の安定化、などを図るようにしてもよい。
【００３９】
さらには、電線切断部４から被覆切断体５にわたって、電線２００の軸方向に延びる横刃を設け、電線切断部４と被覆切断体５とを全閉した際に、被覆材２０２の軸方向に切れ目・スリットを形成するようにしてもよい。これにより、切断位置Ｓ１と皮むき位置Ｓ２との間の被覆材２０２を、より容易かつ迅速に取り除くことができる。
【符号の説明】
【００４０】
１        電線被覆剥ぎ取り用間接活線先端工具
２        従動体
３        装着体（装着手段）
４        電線切断部（電線切断手段）
５        被覆切断体（被覆切断手段）
６        連結棒
１００    間接活線工具
１１０    把持工具本体
１２０    ヤットコ
２００    電線
２０１    心線
２０２    被覆材（被覆）
【図１】
2014039433.tif 000003
【図２】
2014039433.tif 000004
【図３】
2014039433.tif 000005
【図４】
2014039433.tif 000006
【図５】
2014039433.tif 000007
【図６】
2014039433.tif 000008
【図７】
2014039433.tif 000009